(57)【要約】【課題】  一枚の書類カバー自体でポケットが形成でき、その組立てに多くの手間や部品を要さず、かつ、ポケットへの書類の差し込みが行いやすいポケット付書類カバーを提供すること【解決手段】  書類カバーの裏面を１１ｂ、下辺とこの辺に隣接する側辺を延長し、その延長した両辺の部分１１ｅ，１１ｄをコ字状に内側に折り返し、予め下辺に対して４５度傾斜する切り込み１１ｈを形成した側辺端部１１ｅの切り込み１１ｈに、予め端縁に、４５度傾斜する傾斜縁１１ｇを有する直立の係合片１１ｆを形成した下辺の端部１１ｄの係合片１１ｆを含む隅部を嵌入し、係合片１１ｆの傾斜縁１１ｇと切り込み１１ｈの終端を当接させてポケットを形成する。【選択図】      図１
2006218713.tif 000002
【特許請求の範囲】
【請求項１】
書類を挿入するポケットを有し、前記ポケットに挿入した書類の表裏両面と背面を被うポケット付書類カバーであって、前記書類カバーの前記書類の表面または裏面と対向する面の互いに隣接する両端部を内側に折り返し、一方の端部に形成した斜めに切り込んだ係合切り込みに、端縁に直立の係合片を形成した他方の端部の、前記係合片を含む隅部を嵌入して前記ポケットを形成してなることを特徴とするポケット付書類カバー。
【請求項２】
前記係合片の前記係合切り込みの終端に当接する端縁を所定長さの傾斜縁としてなることを特徴とする請求項１に記載のポケット付書類カバー。
【請求項３】
係合片の傾斜縁の傾斜と、前記係合切り込みの傾斜とが直交してなることを特徴とする請求項２に記載のポケット付書類カバー。
【発明の詳細な説明】
【技術分野】
【０００１】
本発明は、各種の書類をカバーするポケット付書類カバーに関するものである。
【背景技術】
【０００２】
図３はポケット付書類カバーの一例を示すもので、書類カバー１は、パンフレットなどの書類の表面を被う表面１ａ、書類の裏面を被う裏面１ｂ並びにと書類の背面を被う背面１ｃとにより形成され、裏面１ｂの内側に書類を挿入するポケット２が設けられている。このポケット２は背面１ｃとほぼ同程度の厚みを有し、その両側端部２ａと底部をコ字状に折り曲げて裏面１ｂに接着剤や両面粘着テープなどで固着されている。このように構成したポケット付書類カバー１は、使用に際し、ポケット２にパンフレットなど適宜の書類を差し込み、表面１ａを閉じて差し込んだ書類の表面、裏面および背面を被う。
【０００３】
ところで、以上のように構成したポケット付書類カバー１では、ポケット２に書類を差し込むとき、書類カバー１の裏面１ｂに固着しているポケット２の両側端部２ａおよび底部端部の段差に書類の差し込みが遮られ、その差し込みに手間がかかると言う問題があった。また、ポケット２を書類カバー１と別体に成形し、これを書類カバー１の裏面１ｂに接着剤などで固着しているため、その組立て作業に手間がかかり、さらには多くのポケット付書類カバーを保管するには嵩張ると言った問題があった。
【発明の開示】
【発明が解決しようとする課題】
【０００４】
本発明が解決しようとする課題は、一枚の書類カバー自体でポケットが形成でき、その組立てに多くの手間や部品を要さず、かつ、ポケットへの書類の差し込みが行いやすいポケット付書類カバーを提供し、斯かる問題を解消する点にある。
【課題を解決するための手段】
【０００５】
本発明は、書類を挿入するポケットを有し、前記ポケットに挿入した書類の表裏両面と背面を被うポケット付書類カバーであって、前記書類カバーの前記書類の表面または裏面と対向する面の互いに隣接する両端部を内側に折り返し、一方の端部に形成した斜めに切り込んだ係合切り込みに、端縁に直立の係合片を形成した他方の端部の、前記係合片を含む隅部を嵌入して前記ポケットを形成してなることを主要な特徴とする。
【発明の効果】
【０００６】
本発明では、書類カバーの表面または裏面の隣接する両端部を内側に折り返し、一方の端部に形成した斜めに切り込んだ係合切り込みに、端縁に直立の係合片を形成した他方の端部の、前記係合片を含む隅部を嵌入してポケットを形成するので、ポケットに書類を差込んだときには、係合片の根元と係合切り込みの終端との当接により簡単にバラけないポケットとなる。また、一枚の書類カバー自体で接着剤などを要さず使用に際しその都度ポケットを簡単に組立てることができ、保管に際し嵩張りを大きく低減することができる。さらには、ポケットへの書類の差込に際し、段差部が少ないので書類カバーと同サイズの書類でも簡単に差込むことができる。
【０００７】
係合片の係合切り込みの終端に当接する端縁を所定長さの傾斜縁とし、その係合片の傾斜縁の傾斜と係合切り込みの傾斜とを直交させた場合には、ポケットの厚みより多少厚い書類をポケットの差込んでも、厚みが厚くなる分に応じて係合片が係合切り込みの終端に沿って無理なく抜けるので、必要以上の書類カバーの膨らみをなくすることができる。
【発明を実施するための最良の形態】
【０００８】
一枚の書類カバー自体でポケットが形成でき、その組立てに多くの手間や部品を要さず、かつ、ポケットへの書類の差し込みが行いやすいポケット付書類カバーを提供する目的を、書類カバーの裏面を、下辺とこの辺に隣接する側辺を延長し、その延長した両辺の部分（以下、端部という。）をコ字状に内側に折り返し、予め下辺に対して４５度傾斜する切り込みを形成した側辺端部の切り込みに、予め端縁に直立の係合片を形成した下辺の端部の係合片を含む隅部を嵌入してポケットを形成することにより実現した。
【実施例１】
【０００９】
図１は本発明の実施例に係るポケット付書類カバーの平面図、図２は図１に示すポケット付書類カバーの展開平面図である。図１および図２において、１１はポケット付書類カバーで、ポケット付書類カバー１１は、２２０ｋｇコート紙で作成され、書類の表面を被う表面１１ａと、書類の裏面を被う裏面１１ｂおよび書類の背面を被う背面１１ｃを有し、裏面１１ｂの下辺を折り返した端部１１ｄと、下辺と隣接する側辺を折り返した端部１１ｅを備えている。すなわち、端部１１ｄと端部１１ｅとによりポケットが構成されている。
【００１０】
裏面１１ｂの下辺を折り返した端部１１ｄの側辺側に位置する端部に、図１の点線および図２に示すように、直立して突出する係合片１１ｆが形成され、係合片１１ｆの側辺の反対側の端縁を下辺に対して４５度傾斜する（図１の組立図では右上がり、図２の展開図では右下がり）所定長さの端縁１１ｇとされている。また、側辺を折り返した端部１１ｅには、下辺に対して４５度傾斜する（図１の組立図では右下がり、図２の展開図では右上がり）切り込み１１ｈが、嵌め込み折り部１１ｉに伸びて形成されている。なお、傾斜端縁１１ｇの長さは、本実施例では、ポケットの底となる折り返し部１１ｊ、側壁となる折り返し部１１ｉおよび書類カバー１１の背面１１ｃの幅寸法、つまり厚みとほぼ同寸法の高さとなる長さとしている。
【００１１】
このように形成した側辺を折り返した端部１１ｅを一点鎖線（折筋）で示す箇所、すなわちポケットの側壁となる折り部１１ｉ形成して内側に折り曲げ、また、下辺を折り返した端部１１ｄを一点鎖線（折筋）で示す箇所、すなわちポケットの底となる折り部１１ｊを形成して内側に折り曲げ、端部１１ｄの係合片１１ｆを含む側辺側の隅部を端部１１ｅに形成した傾斜切り込み１１ｈに嵌入し、ポケット付書類カバーを完成させる。このとき係合片１１ｆの傾斜端縁１１ｇの傾斜開始の付け根に傾斜切り込み１１ｈの終端が当接し、その当接で抜けにくくなる。
しかし、本実施例では、４５度傾斜する切り込みとこの傾斜と直交する係合片１１ｆに傾斜端縁１１ｇを設けているので、多少厚い書類をポケットの差込んでも、厚み分に応じて係合片１１ｆが切り込み１１ｈの終端に沿って抜けるので、ポケットに無理がかからず、その変形や破損を防止する。
【００１２】
以上の実施例では、ポケットの形成で係合片１１ｆに傾斜端縁１１ｇを設けているが、この傾斜端縁１１ｇを設けなくてもよい。また、ポケットの形成は本の表紙、特に裏表紙に形成することもできる。さらに、実施例では、最適な２２０ｋｇコート紙を用いているが、ポケット付書類カバーを形成する素材は、コート紙に限らずその他の紙、ポリプロピレン、ポリエチレンテフタレートなどであってもよい。
【図面の簡単な説明】
【００１３】
【図１】本発明の実施例に係るポケット付書類カバーの平面図である。
【図２】図１に示すポケット付書類カバーの展開平面図である。
【図３】従来のポケット付書類カバーの斜視図である。
【符号の説明】
【００１４】
１１  ポケット付書類カバー
１１ａ  表面
１１ｂ  裏面
１１ｃ  背面
１１ｄ  下辺を折り返した端部
１１ｅ  下辺と隣接する側辺を折り返した端部
１１ｆ  係合片
１１ｇ  傾斜端縁
１１ｈ  傾斜切り込み
【図１】
2006218713.tif 000003
【図２】
2006218713.tif 000004
【図３】
2006218713.tif 000005